(57)【要約】【課題】入浴者が入浴中に任意の位置で任意の姿勢で、周囲の騒音に影響を受けることなく、周囲に騒音を発することなく、良好な音声を聴くことができる浴室用音声再生装置を提供する。【解決手段】浴室用音声再生装置１は、浴室の近傍に設置されて音声信号７を出力する音源装置２と、浴室近傍に設置され音源装置から出力された音声信号に基づく所定の無線信号形態８を浴室内部に向けて送信する信号送信手段３と、入浴者Ｍの耳部に着脱可能に配置可能で、信号送信手段から送信された無線信号形態を受信し音声信号を再生して、耳元に位置するスピーカ部１６から音声として出力する音声再生手段４とを備えている。【選択図】図１
2008252218.tif 000002
【特許請求の範囲】
【請求項１】
浴室の内部またはその近傍に設置されて音声信号を出力する音源装置と、
前記浴室内部またはその近傍に設置され、前記音源装置から出力された前記音声信号に基づく所定の無線信号形態を前記浴室内部に向けて送信する信号送信手段と、
入浴者の少なくとも耳部に着脱可能に配置可能で、前記信号送信手段から送信された前記無線信号形態を受信し、この無線信号形態から前記音声信号を再生して、耳元に位置するスピーカ部から音声として出力する音声再生手段とを備えたことを特徴とする浴室用音声再生装置。
【請求項２】
請求項１に記載の浴室用音声再生装置であって、
この浴室用音声再生装置は、前記浴室内部またはその近傍に設置されて前記音声再生手段の電源部を充電するための充電手段を備え、
この充電手段は、前記音声再生手段が正規の位置に取付けられていることを検出する検出部と、この検出部の出力信号により磁気を発生して前記電源部を充電することができる磁気発生部とを有していることを特徴とする浴室用音声再生装置。
【請求項３】
請求項１または２に記載の浴室用音声再生装置であって、
前記音声再生手段は、前記入浴者の頭部に着脱可能に装着するヘッドバンドと、このヘッドバンドの両端部に取付けられ、前記入浴者の前記耳部に当てられる一対の前記スピーカ部とを有して防水構造になっていることを特徴とする浴室用音声再生装置。
【請求項４】
請求項１または２に記載の浴室用音声再生装置であって、
前記音声再生手段は防水構造をなしており、前記スピーカ部は、前記入浴者の左の前記耳部と右の前記耳部にそれぞれ着脱可能に個別に装着されるように、互いに分離されて一対設けられていることを特徴とする浴室用音声再生装置。
【発明の詳細な説明】
【技術分野】
【０００１】
本発明は、入浴中のユーザー（入浴者）が浴室内で快適に良好な音声を聴くことができる浴室用音声再生装置に関する。
【背景技術】
【０００２】
近年、浴室にラジオやテレビなどの音響映像再生装置を設置したり持ち込んだりして、音楽や映像を楽しむ人が増えてきている。ところが、浴室には、空調・温熱環境を快適にするために換気扇や暖房機を設置したり、身体をマッサージするための気泡発生装置を設置するケースが多い。
そのため、これらの機器や装置の動作時に発生する騒音が、上述の音響映像再生装置のスピーカから発せられる音声を聞き取り難くするという不具合が生じている。
【０００３】
そこで、このような不具合を解決する技術として、たとえば特許文献１（特開２００５−１０９６４２号公報）に浴室音響システムが提案されている。図９は、この従来の浴室音響システムの使用状態を示す浴室の平面図である。
図９に示すように、この浴室音響システム１００は、吸着盤１０１によりスピーカ１０２を浴室１０３の壁面の任意の位置に取付け可能にするとともに、スピーカ１０２を入浴者Ｍの耳元に配置可能にして音声を再生するようにしている。
【０００４】
【特許文献１】特開２００５−１０９６４２号公報
【発明の開示】
【発明が解決しようとする課題】
【０００５】
特許文献１に記載の浴室音響システムは、図９に示すように、浴室１０３の壁面にスピーカ１０２を取付けている。しがたって、入浴者Ｍは、必ず頭部１０４を壁面に近づけなければ、スピーカ１０２で良好な音声を聴くことができなかった。
そのため、浴室音響システム１００で音声を聴くときの入浴者Ｍの位置や姿勢に制約があり、また、浴室内の周囲の騒音に影響を受けがちであり、スピーカ１０２から発せられる音が周囲に騒音となって拡散する恐れもあった。
【０００６】
本発明は、このような課題を解決するためになされたもので、入浴者が、入浴中に任意の位置で任意の姿勢のまま、周囲の騒音に影響を受けることなく、周囲に騒音を発することなく、良好な音声を聴くことができる浴室用音声再生装置を提供することを目的とする。
【課題を解決するための手段】
【０００７】
上述の目的を達成するため、本発明にかかる浴室用音声再生装置は、浴室の内部またはその近傍に設置されて音声信号を出力する音源装置と、前記浴室内部またはその近傍に設置され、前記音源装置から出力された前記音声信号に基づく所定の無線信号形態を前記浴室内部に向けて送信する信号送信手段と、入浴者の少なくとも耳部に着脱可能に配置可能で、前記信号送信手段から送信された前記無線信号形態を受信し、この無線信号形態から前記音声信号を再生して、耳元に位置するスピーカ部から音声として出力する音声再生手段とを備えている。
この浴室用音声再生装置は、前記浴室内部またはその近傍に設置されて前記音声再生手段の電源部を充電するための充電手段を備え、この充電手段は、前記音声再生手段が正規の位置に取付けられていることを検出する検出部と、この検出部の出力信号により磁気を発生して前記電源部を充電することができる磁気発生部とを有しているのが好ましい。
本発明の一実施形態として、前記音声再生手段は、前記入浴者の頭部に着脱可能に装着するヘッドバンドと、このヘッドバンドの両端部に取付けられ、前記入浴者の前記耳部に当てられる一対の前記スピーカ部とを有して防水構造になっている。
また、他の実施形態として、前記音声再生手段は防水構造をなしており、前記スピーカ部は、前記入浴者の左の前記耳部と右の前記耳部にそれぞれ着脱可能に個別に装着されるように、互いに分離されて一対設けられている場合であってもよい。
【発明の効果】
【０００８】
本発明の浴室用音声再生装置は、上述のように構成したので、入浴者は、入浴中に任意の位置で任意の姿勢のまま、周囲の騒音に影響を受けることなく、周囲に騒音を発することなく、良好な音声を聴くことができる。
【発明を実施するための最良の形態】
【０００９】
下記の実施例にかかる浴室用音声再生装置は、音声信号を出力する音源装置を浴室の内部またはその近傍に設置している。信号出力手段を浴室内部またはその近傍に設置して、音源装置から出力された音声信号に基づく電波信号または赤外線信号を浴室内部に出力している。
そして、入浴者の少なくとも耳部に音声再生手段を着脱可能に配置できるようにしており、この音声再生手段は、信号出力手段から出力された電波信号または赤外線信号を受信し、この電波信号または赤外線信号から音声信号を再生して、耳元のスピーカ部から音声として出力するようになっている。
これにより、音声再生手段を耳部にセットすれば、入浴者は、入浴中に任意の位置で任意の姿勢のまま、周囲の騒音に影響を受けることなく、周囲に騒音を発することなく、良好な音声をスピーカ部から聴くことができるという目的を実現している。
【実施例】
【００１０】
以下、本発明にかかる実施例を、図１ないし図８を参照して説明する。
（第１実施例）
図１は、第１実施例にかかる浴室用音声再生装置の使用状態を示す浴室の平面図、図２は、図１に示す浴室用音声再生装置のブロック図である。
図１，図２に示すように、浴室用音声再生装置１は、音源装置２と信号送信手段３と音声再生手段４とを備えている。音源装置２は、浴室５の内部またはその近傍（本実施例では、脱衣室６）に設置されて音声信号７を出力する。
音源装置２は、たとえば、ＣＤプレーヤ，ラジオ，ラジカセ（ラジオカセットテープレコーダ），ヘッドホンステレオ，テレビ，パソコンなど、音声を発生する電気機器である。音声信号７は、以下の各実施例では、左の音声成分Ｌと右の音声成分Ｒとからなるステレオ音声の信号の場合を示しているが、モノラル音声の信号であってもよい。本発明で言う「音声」には、音のみの場合、声のみの場合、音と声の両方の場合がある。
【００１１】
信号送信手段３は、浴室５の内部またはその近傍（ここでは、脱衣室６）に設置されている。信号送信手段３は、音源装置２から出力された音声信号７に基づく所定の無線信号形態８を、浴室５の内部に向けて送信する。無線信号形態８は、信号線を使用しない信号伝達手段であり、電波や赤外線などである。
音声信号入力部９は、音源装置２を置くための部屋（たとえば、浴室５の内部または脱衣室６。本実施例では、脱衣室６）の壁部などに設けられている。そして、音声信号入力部９には、音源装置２に接続されて音声信号７を流すための音声信号ケーブルを接続可能になっている。
【００１２】
信号送信手段３は、音声信号入力部９と、音声信号入力部９に入力された音声信号７を合成，変調，符号化するための信号変換部１０と、浴室５の内部の壁面または天井に設けられ、信号変換部１０から出力された信号に基づいて、電波や赤外線などの無線信号形態８を浴室５の内部に向けて送信する信号送信部１１とを有している。
信号送信部１１は、浴室５の内部で使用されるので防水構造になっている。信号変換部１０は、通常は浴室５の外部（ここでは、脱衣室６）の壁面に設置されるが、浴室５の内部の壁面などに設置した場合には、信号変換部１０を防水構造にする必要がある。
音源装置２と信号送信手段３には、建物内の１００Ｖ電源から電流が供給されるようになっている。
【００１３】
音声再生手段４は、入浴者Ｍの頭部に着脱可能に装着するヘッドバンド２３と、ヘッドバンド２３の両端部に取付けられ、入浴者（入浴中のユーザー）Ｍの耳部に当てられる一対のスピーカ部１６とを有して、防水構造になっているおり、無線式のヘッドホンタイプのレシーバーである。ヘッドバンド２３は、頭部を跨いで左右の耳部のスピーカ部１６同士をつないでいる。
このように、音声再生手段４は、入浴者Ｍの少なくとも耳部に着脱可能に配置できるようになっており、ユーザーが入浴するときに音声再生手段４を使用することになる。音声再生手段４は、信号送信手段３から送信された無線信号形態８を受信し、無線信号形態８から音声信号７を再生して、耳元に位置するスピーカ部１６から音声として出力する。
音声再生手段４は、信号送信部１１から送信される無線信号形態８を電気信号に変換する信号受信部１３と、信号受信部１３で受信して変換された電気信号を元の音声信号７に戻すための信号復元部１４と、信号復元部１４で復元された音声信号７（ここでは、左の音声成分Ｌと右の音声成分Ｒとからなるステレオ音声）を増幅して音量を調整する信号増幅部１５と、信号増幅部１５で増幅された音声信号７を入浴者Ｍの耳元で音声として再生するスピーカ部１６とを有している。
音声信号７がステレオ音声なので、信号増幅部１５とスピーカ部１６はそれぞれ一対ずつ設けられている。ステレオ音声のうち、左の音声成分Ｌは、一方の信号増幅部１５と一方のスピーカ部１６により増幅，再生され、右の音声部分Ｒは、他方の信号増幅部１５と他方のスピーカ部１６により増幅，再生される。
【００１４】
音声再生手段４には、これに電流を供給するための電源部１７が設けられている。電源部１７は、電気を蓄えて各構成部分１３，１４，１５，１６に電流を供給するための蓄電部１８と、電磁誘導により磁気を電気に変換してこの電気を蓄電部１８に供給する磁気電気変換部１９とを有している。
なお、電源部１７は、繰り返して充電可能な構成であるが、充電しない乾電池を使用する構成であってもよい。
【００１５】
上述のように、浴室用音声再生装置１は、浴室の内部またはその近傍（ここでは、脱衣室６）に設置されて音声信号７を出力する音源装置２と、浴室５の内部またはその近傍（ここでは、脱衣室６）に設置され、音源装置２から出力された音声信号７に基づく所定の無線信号形態（ここでは、電波または赤外線）８を浴室５の内部に向けて送信する信号送信手段３と、入浴者Ｍの少なくとも耳部に着脱可能に配置可能で、信号送信手段３から送信された無線信号形態８を受信し、無線信号形態８から音声信号７を再生して、耳元に位置するスピーカ部１６から音声として出力する音声再生手段４とを備えている。
これにより、入浴者Ｍは、入浴中に浴室５内の任意の位置で任意の姿勢のまま、周囲の騒音に影響を受けることなく、周囲に騒音を発することなく、良好な音声を聴くことができる。
【００１６】
浴室用音声再生装置１は、浴室５の内部またはその近傍（たとえば、脱衣室６。本実施例では、浴室内部の壁面）に設置されて音声再生手段４の電源部１７を充電するための充電手段２０を備えている。
充電手段２０は、音声再生手段４が正規の位置に取付けられていることを検出する検出部２１と、検出部２１の出力信号により磁気を発生して電源部１７を充電することができる磁気発生部２２とを有している。
このように、電磁誘導による非接触充電機構により、充電手段２０で電源部１７を充電できるようになっている。その結果、音声再生手段４を、防水構造にして浴室５の内部での使用が可能になり、また、充電手段２０を、防水構造にして浴室５の内部の壁部に設置することが可能になる。
【００１７】
次に、浴室用音声再生装置１の動作について説明する。
まず、入浴していないときには、音声再生手段４は、浴室５の壁面に設置された充電手段２０に装着されている。このとき、磁気電気変換部１９は、磁気発生部２２に近接する状態になっている。すると、充電手段２０は、検出部２１により音声再生手段４が正規の位置に取付けられていることを検出して、検出信号を磁気発生部２２に出力する。
磁気発生部２２は、この検出信号を受けると、磁気電気変換部１９に向かって磁気を発生させる。磁気電気変換部１９は、この磁気を受けると電磁誘導により誘導電流を発生させて、蓄電部１８を充電する。このように、電源部１７は磁気を介して充電できるので、音声発生手段４と充電手段２０を、ともに電気的な接触部を露出させることなく防水構造にすることができる。
磁気を介した充電方法は、電気的に直接接続して充電する方法に比べて充電効率が低いので長時間の充電時間を要する。しかし、一般的にこの浴室用音声再生装置１を使用する入浴時間に対して、入浴していない時間の方が大幅に長いので、この入浴していない時間を使って十分に充電することができる。
【００１８】
入浴者Ｍが、入浴時に浴室用音声再生装置１を使いたい場合には、入浴者Ｍは、浴室５に入る前に、音声信号ケーブルなどを使用して（または、直接）、脱衣室６などの壁面に設けられた音声信号入力部９に音源装置２を接続する。
すると、音源装置２から出力される音声信号７は、音声信号ケーブルを伝って音声信号入力部９から信号送信手段３に入力する。
信号送信手段３に入力した音声信号７は、信号変換部１０に送られて、電波や赤外線のかたちで送信できるように変調や符号化がなされ、ステレオ音声なので左右の音声信号の合成が施され、その後、信号変換部１０から、浴室５の内部の壁面または天井に設けられた信号送信部１１に送られる。信号送信部１１は、浴室５の内部に向けて、電波や赤外線などの無線信号形態８として送信する。
【００１９】
次いで、入浴者Ｍは、浴室５に入ってヘッドバンド２３を頭部に装着し、一対のスピーカ部１６を左右の耳部にそれぞれ当てる。信号送信部１１から送信された電波や赤外線は、入浴者Ｍが頭部に装着した音声再生手段４の信号受信部１３で受信されて電気信号に変換される。この電気信号は、信号復元部１４において元の音声信号７に復元される。
その後、この音声信号７は、信号増幅部１５において適度のレベルに増幅され、入浴者Ｍの耳元のスピーカ部１６に出力される。すると、左側のスピーカ部１６では、音声信号７のうち左側の音声成分Ｌが再生され、右側のスピーカ部１６では、音声信号７のうち右側の音声成分Ｒが再生される。
これにより、入浴者Ｍは、ステレオ音声を聴きながら入浴することができ、しかも、浴室内５を自由に移動し且つ任意の姿勢を取ることができる。
音声は耳元のスピーカ部１６で再生されるので、外部の騒音が邪魔をして聞き取り難くなることはない。また、音声は耳元で再生されるので、音量が小さくても充分に聞こえることになり、再生された音声が騒音として外部に発せられる恐れもなく、入浴者Ｍは、良好な音声を聴きながら快適な入浴を楽しむことができる。
【００２０】
（第２実施例〜第４実施例）
次に、第２実施例ないし第４実施例について、図３ないし図８を参照して説明する。
図３は、第２実施例にかかる浴室用音声再生装置１ａの使用状態を示す浴室の平面図、図４は、図３に示す浴室用音声再生装置１ａのブロック図である。図５は、第３実施例にかかる浴室用音声再生装置１ｂの使用状態を示す浴室の平面図、図６は、図５に示す浴室用音声再生装置１ｂのブロック図である。図７は、第４実施例にかかる浴室用音声再生装置１ｃの使用状態を示す浴室の平面図、図８は、図７に示す浴室用音声再生装置１ｃのブロック図である。
なお、第１実施例と同一または相当部分には同一符号を付してその説明を省略し、異なる部分のみ説明する。
【００２１】
図３，図４に示す第２実施例にかかる浴室用音声再生装置１ａは、浴室５の内部に持ち込みができるように防水構造を有する音源装置２ａに、信号送信手段３を接続している。
図示するように、防水構造の音源装置２ａの場合でも、音声信号ケーブルを使用して音声信号７を出力できる場合がある。この場合には、浴室５の内部に信号送信手段３を設ければ、音声再生手段４を使用することができる。なお、信号送信手段３と、浴室５内に持ち込みのできる音源装置２ａとを一体構造にしてもよい。
【００２２】
図５，図６に示す第３実施例にかかる浴室用音声再生装置１ｂでは、音源装置が、浴室５の内部の壁面または天井に設置された浴室用テレビ２ｂである場合を示している。そして、信号送信手段３は、浴室用テレビ２ｂと一体になって浴室５の内部に配置されている。
この場合には、音源装置としての浴室用テレビ２ｂの音声信号７が、音声信号入力部９から信号送信手段３に入力することになる。このようにすれば、入浴者Ｍは、浴室用テレビ２ｂの映像を見ながら、音声再生手段４で再生される音声を聴くことができ、より快適な入浴を楽しむことができる。
【００２３】
図７，図８に示す第４実施例にかかる浴室用音声再生装置１ｃでは、音声再生手段４には、第１実施例で使用したようなヘッドバンド２３は使用されていない。すなわち、音声再生手段４は防水構造をなしており、そのスピーカ部１６Ｌ，１６Ｒは、入浴者Ｍの左の耳部と右の耳部にそれぞれ着脱可能に個別に装着されるように、互いに分離されて一対設けられている。
音声再生手段４は、左音声再生部４Ｌと右音声再生部４Ｒに分割されている。左音声再生部４Ｌと右音声再生部４Ｒは、入浴者Ｍの左右の耳にそれぞれ個別に装着されるイヤホンタイプである。
左音声再生部４Ｌは、ステレオ音声の音声信号７のうち左の音声成分Ｌのみを再生する機能を有しており、右音声再生部４Ｒは、音声信号７のうち右の音声成分Ｒのみを再生する機能を有している。
【００２４】
左音声再生部４Ｌにおいて、送信信号手段３の信号送信部１１から送信された電波や赤外線などの無線信号形態８のうち左の音声成分のみが、信号受信部１３Ｌで受信されて電気信号に変換される。
この電気信号は、信号復元部１４Ｌにおいて元の左の音声成分Ｌに復元される。この左の音声成分Ｌは、信号増幅部１５Ｌにて適度のレベルに増幅され、入浴者Ｍの左の耳元のスピーカ部１６Ｌにおいて音声として再生される。
左音声再生部４Ｌには、各部に電流を供給するための電源部１７が設けられており、電源部１７は、第１実施例の蓄電部１８，磁気電気変換部１９とそれぞれ同じ構成の蓄電部１８Ｌ，磁気電気変換部１９Ｌを有している。
【００２５】
右音声再生部４Ｒは、信号受信部１３Ｒで無線信号形態８のうち右の音声成分Ｒのみを受信して電気信号に変換する。この電気信号は、信号復元部１４Ｒで元の右の音声成分Ｒに復元された後、さらに信号増幅部１５Ｒにて適度のレベルに増幅され、入浴者Ｍの右の耳元のスピーカ部１６Ｒにおいて音声として再生される。
右音声再生部４Ｒにも、各部に電流を供給するための電源部１７が設けられている。この電源部１７も、第１実施例の蓄電部１８，磁気電気変換部１９とそれぞれ同じ構成の蓄電部１８Ｒ，磁気電気変換部１９Ｒを有している。
【００２６】
充電手段２０は、第１実施例と同じ構成の検出部２１と、第１実施例の磁気発生部２２と同じ構成の一対の磁気発生部２２Ｌ，２２Ｒを有している。
一方の磁気発生部２２Ｌは、左音声再生部４Ｌの磁気電気変換部１９Ｌに向けて磁気を発生させ、他方の磁気発生部２２Ｒは、右音声再生部４Ｒの磁気電気変換部１９Ｒに向けて磁気を発生させるようになっている。
その結果、充電手段２０により、左音声再生部４Ｌと右音声再生部４Ｒの各電源部１７をそれぞれ充電することができる。
【００２７】
このようにして、左音声再生部４Ｌでは、ステレオ音声のうち左の音声成分Ｌのみを左の音声として復元し、右音声再生部４Ｒでは、ステレオ音声のうち右の音声成分Ｒのみを右の音声として復元している。
したがって、左のスピーカ部１６Ｌでは、ステレオ音声のうち左の音声のみが再生され、右のスピーカ部１６Ｒでは、ステレオ音声のうち右の音声のみが再生される。したがって、入浴者Ｍは快適にステレオ音声を楽しむことができる。
この浴室用音声再生装置１ｃによれば、頭部を跨いで左右の耳部をつなぐヘッドバンドが不要になるので、入浴者Ｍは、たとえば図７に示すように洗髪中でも良好な音声を聴くことができる。
【００２８】
上述の第２実施例ないし第４実施例における浴室用音声再生装置１ａ，１ｂ，１ｃは、浴室５の内部またはその近傍に設置されて音声信号７を出力する音源装置２，２ａ，２ｂと、浴室内部またはその近傍に設置され、音源装置２，２ａ，２ｂから出力された音声信号７に基づく所定の無線信号形態８を浴室内部に向けて送信する信号送信手段３と、入浴者Ｍの少なくとも耳部に着脱可能に配置可能で、信号送信手段３から送信された無線信号形態８を受信し、無線信号形態８から音声信号７を再生して、耳元に位置するスピーカ部１６（または、スピーカ部１６Ｌ，１６Ｒ）から音声として出力する音声再生手段４とを備えている。これにより、第１実施例と同じ作用効果を奏する。
浴室用音声再生装置１ａ，１ｂ，１ｃは、いずれも充電手段２０を有しており、また、浴室用音声再生装置１ａ，１ｂは、第１実施例と同じように無線式のヘッドホンタイプの音声再生手段４を有しているので、第１実施例と同じ作用効果を奏する。
【００２９】
以上、本発明の実施例を説明したが、本発明は、上述の実施例に限定されるものではなく、本発明の要旨の範囲で種々の変形，付加などが可能である。
なお、各図中同一符号は同一または相当部分を示す。
【産業上の利用可能性】
【００３０】
本発明は、住宅（一戸建て住宅，集合住宅），ホテルなどの浴室に適用可能である。
【図面の簡単な説明】
【００３１】
【図１】図１ないし図８は本発明の実施例を示す図である。図１は、第１実施例にかかる浴室用音声再生装置の使用状態を示す浴室の平面図である。
【図２】図１に示す浴室用音声再生装置のブロック図である。
【図３】第２実施例にかかる浴室用音声再生装置の使用状態を示す浴室の平面図である。
【図４】図３に示す浴室用音声再生装置のブロック図である。
【図５】第３実施例にかかる浴室用音声再生装置の使用状態を示す浴室の平面図である。
【図６】図５に示す浴室用音声再生装置のブロック図である。
【図７】第４実施例にかかる浴室用音声再生装置の使用状態を示す浴室の平面図である。
【図８】図７に示す浴室用音声再生装置のブロック図である。
【図９】従来の浴室音響システムの使用状態を示す浴室の平面図である。
【符号の説明】
【００３２】
１，１ａ〜１ｃ    浴室用音声再生装置
２，２ａ    音源装置
２ｂ    浴室用テレビ（音源装置）
３      信号送信手段
４      音声再生手段
５      浴室
６      脱衣室（浴室の近傍）
７      音声信号
８      無線信号形態
１６，１６Ｌ，１６Ｒ    スピーカ部
１７    電源部
２０    充電手段
２１    検出部
２２，２２Ｌ，２２Ｒ    磁気発生部
２３    ヘッドバンド
Ｍ      入浴者
【図１】
2008252218.tif 000003
【図２】
2008252218.tif 000004
【図３】
2008252218.tif 000005
【図４】
2008252218.tif 000006
【図５】
2008252218.tif 000007
【図６】
2008252218.tif 000008
【図７】
2008252218.tif 000009
【図８】
2008252218.tif 000010
【図９】
2008252218.tif 000011